(57)【要約】  本発明は、弾丸の発砲前に撃針（１７）の経路に入り込む保護位置と、前記撃針（１７）の運動経路の外側に位置する解放位置とを取ることができる、可動式保護要素（６１）を有する、内部撃鉄式自動装弾ピストル（１）の落下保護装置（５９）に関し、保護要素（６１）が撃針（１７）を、撃針（１７）が所定の距離だけ前進した後にのみ、保護位置において受承することを特徴とする。本発明はまた、このような落下保護装置を備えた自動装弾ピストルにも関する。【選択図】図７
2017501369.tif 000002
【特許請求の範囲】
【請求項１】
弾丸の発砲前に撃針（１７）の経路に入り込む保護位置と、前記撃針（１７）の運動経路の外側に位置する解放位置とを取ることができる、可動式保護要素（６１）を有する、内部撃鉄式自動装弾ピストル（１）の落下保護装置（５９）であって、
前記保護要素（６１）は、前記撃針（１７）を、前記撃針（１７）が所定の距離だけ前進した後にのみ、前記保護位置において受承する、落下保護装置（５９）において、
前記保護要素（６１）は、前記保護位置と前記解放位置との間で水平に回転又は枢動できるように配設及び形成され、
また前記保護要素（６１）は、第１の端部（６５）においてロック式スライド（７）の陥凹部内に回転可能に設置される、設置要素（６３）を含み、
前記設置要素（６３）の第２の端部には２アーム式保護レバー（６７）が設けられ、前記２アーム式保護レバー（６７）は第１のレバーアーム（６７ａ）が保護端部（６６ａ）へと突出し、前記保護位置において前記撃針（１７）を前記撃針（１７）の移動経路内で受承する
ことを特徴とする、落下保護装置（５９）。
【請求項２】
前記保護位置の前記保護要素（６１）は、弾丸が発砲される直前に前記撃針（１７）を妨害する、請求項１に記載の落下保護装置（５９）。
【請求項３】
前記保護要素は、前記撃針（１７）を取り囲む撃針ガイドスリーブ（１８ａ）上に移動可能に設置される、請求項１又は２に記載の落下保護装置（５９）。
【請求項４】
弾性部材（６９）が、前記保護要素（６１）を前記保護位置へと事前にコッキングする、請求項１〜３のいずれか１項に記載の落下保護装置（５９）。
【請求項５】
前記保護要素（６１）は、１つ又は複数の部品からなるものとして形成される、請求項１〜４のいずれか１項に記載の落下保護装置（５９）。
【請求項６】
前記保護レバー（６７）は、第２のレバーアーム（６６ｂ）の一方の端部（６７ｂ）に、引金（５）に連結された引金バー（２７）の少なくとも１つの制御用外形（７７、７９）と動作可能に係合するための制御要素（７３）を備える、請求項１〜５のいずれか１項に記載の落下保護装置（５９）。
【請求項７】
前記引金（５）の静止位置において、前記引金バー（２７）は、前記少なくとも１つの第１の制御用外形（７７）によって前記制御要素（７３）を前記保護位置に配置し、これにより前記保護要素（６１）が前記解放位置に移動するのを防止する、請求項６に記載の落下保護装置（５９）。
【請求項８】
前記引金バー（２７）は、前記引金を引いた場合に前記制御要素（７３）に影響を及ぼして、前記保護要素（６１）を前記解放位置へとシフトさせるための、少なくとも１つの第２の制御用外形（７９）を含む、請求項６又は７に記載の落下保護装置（５９）。
【請求項９】
前記設置要素（６３）は、寸法に関して少なくとも部分的に前記撃針ガイドスリーブ（１８ａ）に対して相補的となるように形成された陥凹部（７５）を含み、これにより前記保護要素（６１）は、前記保護位置から前記解放位置への及びその逆の移動中に、前記撃針ガイドスリーブ（１８ａ）の周りで枢動する、請求項６〜８のいずれか１項に記載の落下保護装置（５９）。
【請求項１０】
前記撃針（１７）は、前記保護位置において前記保護要素（６１）と動作可能に係合するために、前記撃針（１７）の上に形成された突起（１７ａ）を含む、請求項１〜９のいずれか１項に記載の落下保護装置（５９）。
【請求項１１】
請求項１〜１０のいずれか１項に記載の落下保護装置（５９）を有する、自動装弾ピストル（１）。
【発明の詳細な説明】
【技術分野】
【０００１】
本発明は、発砲前に撃針の運動経路に入り込む保護位置と、撃針の運動経路の外側に位置する解放位置とを取ることができる可動式保護要素を有する、内部撃鉄式自動装弾ピストルの落下保護装置に関する。
【０００２】
本発明はまた、このような落下保護装置を備えた自動装弾ピストルにも関する。
【０００３】
本文書において、「上（ａｂｏｖｅ）」、「下（ｂｅｌｏｗ）」、「前方（ｆｒｏｎｔ）」「後方（ｒｅａｒ）」等の位置に関する用語は常に、長手方向軸が水平になった通常発砲位置に自動装弾ピストルを保持する射手から見てのものである。
【背景技術】
【０００４】
様々なバージョンの内部撃鉄式自動装弾ピストル（撃針ロックを有するピストルとも呼ばれる）が公知である。これらのピストルのシリンダのコッキング及び回転時、ロック式スライドはその後方位置から解放され、リコイルスプリングがロック式スライドを前方に駆動する。この場合、ダブルアクション式引金系を有しない内部撃鉄式自動装弾ピストルでは、ロック式スライド内に配設された逆鈎（引金レバーとも呼ばれる）が撃針を受承し、従って撃針はロック式スライドと共に前方へ滑動できない。前進したロック式スライドは、ロック式スライド内に配置され撃針を取り囲む撃針ばねを圧縮し、これによって撃針をコッキングする。続いて射手がグリップ内の引金機構を起動すると、引金機構はコッキングされた撃針を解放する。しかしながら、ダブルアクション式引金系を有する内部撃鉄式自動装弾ピストルでは、引金機構の作動は、撃針の解放機能に加えて、撃針ばねを完全に又は部分的に締めることもできる。
【０００５】
様々な設計の自動装弾ピストルのための落下保護装置が公知である。落下保護装置は、落下又は他の応力が自動装弾ピストルに作用した場合の偶発的な発砲を防止するために使用される。
【０００６】
例えば特許文献１は、落下保護装置を有する内部撃鉄式自動装弾ピストルを示す。２アーム式保護レバーはその保護位置において、第１のレバーアームによって、保護スライドを撃針と噛合した状態とし、第２のレバーアームを用いてコッキングされた撃針を保持する。
【０００７】
保護レバーは引金バーを介して引金に連結される。引金を後方へと作動させると、引金は引金バーを後方へと移動させ、引金バーは保護レバーを枢動させ、これによって第１のレバーアームが保護スライドをその解放位置へと上向きに移動させる。保護スライドは、撃針の全寸法に対応する陥凹部を含み、これにより撃針は解放位置において保護スライドを通過して摺動できる。
【０００８】
特許文献２は、回転かつ摺動式の保護スライドを用いてコッキング‐着火を行う自動装弾ピストルの撃針保護装置を示す。保護位置では、撃針は保護スライドの後側にある。引金を作動させると、引金はまず保護レバーに作用し、保護レバーは保護スライドに衝突して、撃針の軸に対して９０°の角度の軸の周りで、保護スライドを、「回転した」保護スライドを撃針から径方向に係合解除できるような距離だけ回転させる。更に引金を引く動作を行うと、保護レバーは保護スライドを、撃針上の溝から軸方向上向きに、その解放位置へと再配置し、撃針をロック解除する。
【０００９】
特許文献３は、内部撃鉄式自動装弾ピストルの撃針保護装置を開示する。この撃針保護装置は、保護位置の引金レバーと共に、撃針をそのコッキング位置に戻して保持する、撃針の側部に垂直に配置された保護要素を含む。そのために撃針は側方に突出した接触面を備え、保護要素がこの接触面上に衝突している。引金の作動時、引金バーはレバーアームを枢動させ、レバーアームは保護要素に作用してこれを軸方向上向きに移動させる。ここで保護要素は接触面から係合解除され、撃針を解放位置に解放する。
【００１０】
特許文献４は、引金と連結された引金バーを有する内部撃鉄式ピストルを開示している。引金バーの後端部には延長アームが設けられており、これはその下側の延長部分において撃針を受承し、撃針をコッキングして、撃針をコッキング位置に保持する。発砲のために引金が引かれ、引金は引金バー及び後方延長部分を撃針の移動経路から枢動させて、撃針を解放する。更に蹴子が設けられており、これは摺動可能な接続部品を介して引金バーに連結されている。コネクタは、引金が操作されていないときの引金バーの下方への変位を防止し、従って、ピストルを不注意により落下させてしまった場合に、引金バーの延長アームが撃針の延長部分から滑って弾丸が発砲されるのを防止する。
【００１１】
特許文献５は、撃針保護装置と、スライド内で垂直移動可能な保護要素とを有する、内部撃鉄式自動装弾ピストルを開示している。保護位置において保護要素は、その頂部が、係合された撃針の陥凹部に入り、撃針が更に前方に移動するのを防止する。引金の作動時、引金に設けられたレバーが保護要素に作用し、この保護要素をその解放位置へと上向きに移動させることにより、弾丸の放出が可能となる。
【先行技術文献】
【特許文献】
【００１２】
【特許文献１】米国特許第２０１１／０２８９８１１Ａ１号
【特許文献２】欧州特許第１２８１９２４Ｂ１号
【特許文献３】米国特許第７７０３２３０Ｂ２号
【特許文献４】米国特許第７８１０２６８Ｂ１号
【特許文献５】米国特許第５１５７２０９Ａ号
【発明の概要】
【発明が解決しようとする課題】
【００１３】
本発明の目的は、自動装弾ピストルのための、改良され機能的に信頼できる落下保護装置と、この落下保護装置を備える自動装弾ピストルとを提供することである。
【課題を解決するための手段】
【００１４】
この目的はそれぞれ、独立請求項１、１１の主題によって解決される。
【００１５】
請求項１によると、一般的な落下保護装置は、撃針が所定の距離だけ前進した後に、保護要素が撃針を保護位置において受承することを特徴とする。上記所定の距離は、弾丸の発砲に必要な距離よりも当然短いが、撃針ばねが完全に又はほとんど完全に弛緩し、従って受承位置において既にコッキングされた撃針ばねのエネルギが完全に又はほとんど完全に消費されるような距離である。従ってこの撃針の弛緩位置において射手が引金を解放して撃針を再度押圧しても、撃針ばねは撃針を移動させて弾丸を発砲することはできない。
【００１６】
更に、請求対象の落下保護装置は、落下保護装置の保護要素が、その保護位置と解放位置との間で水平に回転又は枢動できるように配設及び形成されることを特徴とする。落下保護装置はまた、特定のピン状の設置要素を含み、これは第１の端部においてロック式スライドの陥凹部内に回転可能に設置される。ここで、落下保護装置の設置要素の第２の端部には２アーム式保護レバーが設けられ、これはその保護位置において、第１のレバーアームの自由保護端部が突出し、撃針をその軌跡内で受承する。
【００１７】
請求項１１の一般的な自動ピストルは、請求項１〜１０のいずれか１項に記載の落下保護装置を備えることを特徴とする。
【００１８】
本発明による自動装弾ピストルの弾丸の放出は、落下保護装置がその解放位置となり、保護要素が撃針の移動範囲外に出た場合にのみ可能である。従って落下保護装置は、自動装弾ピストルが落下した場合、又は落下以外の振動を受けた場合の、偶発的な発砲を防止する。撃針ばねは保護位置において、撃針が不注意に解放された場合に部分的に弛緩し得るものの、保護要素が撃針を受承しており、薬室内に存在する実包の着火剤への衝突を防止しているため、弾丸は出ることができない。
【００１９】
汚れに強い構成部品による比較的簡単でロバストな技術により、このデバイスは比較的感受性が低い。これは、外側から強い機械的応力がある場合にも当てはまり、従って自動装弾ピストルは、公知の内部撃鉄式自動装弾ピストルよりも機能的により安全であり、かつ信頼性が高い。
【００２０】
本発明により、偶発的な解放時に撃針が所定の距離移動し、その直後に支承されるため、本発明は、保護要素上にコッキングされた撃針をコッキング状態に保持及び固定するための公知の原理を破棄する。冒頭で言及した特許文献３に記載の、直線的にガイドされ、片側のみに力が印加されて撃針を妨害する圧力ピンに基づく、公知の落下保護装置に比べて、本発明は有利なことに、例えば汚れによって落下保護装置が偶発的に解放位置に留まり、これにより落下時に実包を偶発的に発砲できるようになるのを防止する。
【００２１】
軸の周りで移動可能な回転防止デバイスは、ばね加圧式摺動保護デバイスに比べて軽量に形成でき、従ってこれに作用するばね力と共に遥かに良好な保護を提供できる。
【００２２】
設置要素が回転可能に設置されることにより、揺動時に撃針ガイドスリーブ上での落下保護装置の回転移動が可能となる。設置要素は例えば、ピン、ボルト又は他の好適な軸デバイスとして形成してよく、ロック式スライドの陥凹部内でのプラグ接続によって使用できる。陥凹部は例えば、単にロック式スライド内の孔を用いて容易に配備できる。
【００２３】
保護レバーの両方のアームは例えば、互いに対して完全に平衡状態で、また相互に重量に関して殆ど平衡状態で形成してよい。これは、落下又は衝撃時に発生する質量加速に対して反作用する。
【００２４】
好ましくは、落下保護装置において、保護位置の保護要素は、弾丸が発砲される直前に撃針を受承する（請求項２）。
【００２５】
これにより、撃針の経路を可能な限り長くすることができる。
【００２６】
好ましくは、落下保護装置において、保護要素は、撃針を取り囲む撃針ガイドスリーブ上に移動可能に設置される（請求項３）。
【００２７】
撃針ガイドスリーブ上の保護要素の設置は、製造時の簡単な技術的手段によって達成できる。更にこの構成により、落下保護装置の小型の、空間を節約できる設計が可能となる。
【００２８】
好ましくは、弾性部材が、落下保護装置内の保護位置において保護要素に事前に負荷を印加する（請求項４）。
【００２９】
この弾性部材は例えば、エラストマ、又は対応する好適なばね要素、例えば板ばね若しくは捩りばねとして提供してよい。
【００３０】
保護位置における保護要素の事前負荷印加は、落下保護装置の安全性を上昇させ、偶発的な弾丸の放出を防止する。
【００３１】
好ましくは、保護要素は落下保護装置内の１つ又は複数の部品において形成される（請求項５）。
【００３２】
一体型の設計は、落下保護装置の高い安定性を保証する。しかしながらあるいは、複数の構成部品からなる落下保護装置も提供でき、これらの構成部品は好適な締結器具によって、又は例えばプラグコネクタ、ロックコネクタ若しくは他のコネクタによって互いに連結される。複数の構成部品からなる落下保護装置の場合、落下保護装置の個々の構成部品を交換できる。
【００３３】
好ましくは、落下保護装置は、保護レバーの第２のレバーアームの自由端部の制御要素を特徴とし、これは、引金に連結された引金バーの少なくとも１つの制御用外形と動作可能に係合するためのものである（請求項６）。
【００３４】
制御要素は、例えば好適な幾何学的形状を有する突出部、スピゴット、ボルト又は他の形成物として提供できる。引金バーの制御用外形は、例えばブラケット、突出部又は他の好適な構成として、他の適切な寸法で提供できる。簡潔な設計では、制御用外形は隆起部として設けられる。突出構成部品は、移動に関して制御用外形と共に単純な様式で作用する。
【００３５】
好ましくは、引金の静止位置における落下保護装置において、引金バーは、制御要素の少なくとも１つの第１の制御用外形によって保護位置に保持され、これにより保護要素が解放位置に移動するのが防止される（請求項７）。
【００３６】
この正方向の後方位置により、保護要素は引金がコッキング解除状態となっても保護位置から回転できず、これによって落下保護装置の高い安全性が保証される。
【００３７】
ロック式スライドの後方移動時、引金バーは回転防止デバイスから係合解除される。特に保護要素又は落下保護装置の何らかの汚染時、少なくとも１つの制御用外形により、保護要素が保護位置に戻ることが保証される。
【００３８】
引金が作動されると、公知のようにロック式スライドは発砲後に後方へと摺動する。更に公知のように、スライドの前進中に、弾倉から薬室への実包の新規の再装填が行われる。落下保護装置は、スライドが戻る間に既にばねの作用によって撃針の経路内に延在するため、偶発的な発砲を効果的に防止できる。
【００３９】
好ましくは、落下保護装置の引金バーは、引金の作用時に制御要素に衝突して保護要素を解放位置へと移動させるための、少なくとも１つの第２の制御用外形を含む（請求項８）。
【００４０】
第２の制御用外形もまた、引金の作動時に制御要素に衝突するための制御用スロープを有するか又は有しない突出部又はブラケットとして、簡潔な設計で提供できる。これにより、引金の連続的な作動時の弾丸の放出が確実に可能となる。
【００４１】
更に、公知の一体型引金安全ラッチを引金上に設けることができ、これは、引金の、従って引金バーの意図しない作動を防止する。引金の移動中、引金バーはその制御用外形によって落下保護装置を開放位置へと移動させ、弾丸を確実に放出できるようにする。発砲後、重量に関して平衡状態である落下保護装置は、スライドの後方への移動中に、ばねの力のみを受ける。
【００４２】
スライドの前進移動終了後、制御ボルトはその下側において、引金バーの第２の制御用外形の上側に接触する。引金が解放されると、制御用外形及び引金バーは前方へ移動し、ばね加圧された引金アームは上向きに押圧され、制御用外形が制御ボルトの下側と接触しなくなるとすぐに、その初期位置を再び取る。
【００４３】
この引金バーの開始位置では、引金バーに接続された引金は引金ラッチによって固定され、落下保護装置の制御要素は、引金バーの第１の制御用外形によって強制的に保持され、落下保護装置はその保護位置にロックされて、コッキングされた撃針が、落下又は衝撃加速による逆鈎の解放時に、落下保護装置の保護端部によって確実に受承される。
【００４４】
第１の及び／又は第２の制御用外形は、保護要素の強制的な制御によって、保護要素のいずれの望ましくない自己運動を排除する。
【００４５】
出願人はこのような引金バーに関する独立した保護を請求する権利を保有する。
【００４６】
好ましくは、落下保護装置の設置要素は、寸法に関して少なくとも部分的に撃針ガイドスリーブに対して相補的となるように形成された陥凹部を含み、これにより、保護位置から解放位置への及びその逆の移動を行う保護要素が撃針ガイドスリーブの周りで枢動する（請求項９）。
【００４７】
例えば設置要素が旋回ピン、ボルト又はピンとして形成される場合、陥凹部は例えば、設置要素の上部、下部又は中央領域にまで到達でき、その最大直径のおよそ１０〜５０％まで貫通できる。枢動を保証するために、陥凹部の外縁部は丸みを帯びており、これによって撃針ガイドスリーブの対応する移動が可能となる。
【００４８】
好ましくは、落下保護装置及び特に撃針は、保護位置において保護要素と動作可能に係合するために、落下保護装置及び撃針の上に形成されたアタッチメントを含む（請求項１０）。
【００４９】
このようなアタッチメントは、例えば撃針から下向きに突出でき、単純な製造技術によって実装できる。このアタッチメントは保護レバーの保護端部に好適な表面をもたらす。
【００５０】
本発明の設計例について、添付した概略図を参照して以下に詳細に説明する。図１〜６は、本発明による落下保護装置を有しない内部撃鉄式自動装弾ピストルを示し、図７〜１７は本発明による自動装弾ピストルを示す。
【図面の簡単な説明】
【００５１】
【図１】図１は、自動装弾ピストル及びこの自動装弾ピストルから取り外された弾倉の側面図である。
【図２】図２は、撃針を逆鈎が受承し、撃針ばねがコッキングされ、引金が固定及びコッキング解除された（作動されていない）状態の、図１による自動装弾ピストルの断面図である。
【図３】図３は、撃針が解放されて引金が押された（作動された）状態の、図２による自動装弾ピストルの引金機構の一部の側面図である。
【図４】図４は、撃針が解放されて引金が押された（作動された）状態の、図２による自動装弾ピストルの引金機構の一部の、上方後側からの斜視図である。
【図５】図５は、撃針の空撃ち後の、撃針ばねがコッキング解除され、引金がコッキング解除された（作動されていない）状態の、図２による自動装弾ピストルの部分断面図である。
【図６】図６は、ここでもまた撃針を逆鈎が受承し、撃針ばねがコッキングされ、引金が固定及びコッキング解除された（作動されていない）状態の、図１〜５による自動装弾ピストルの引金機構の一部の側方からの断面図である。
【図７】図７は、図１による本発明の自動装弾ピストルの、後方上側からかつ右側からの、ロック式スライドを含まない部分斜視図である。
【図８】図８は、ロック式スライドを概略的に示す、図７と同様の図である。
【図９】図９は、保護要素の前方下側からの斜視図である。
【図１０】図１０は、図９からの保護要素と、グリップ及び引金機構の一部との、前方上側からの斜視図である。
【図１１】図１１は、引金ばね及びばねによって引金が前方に移動され、引金バーが静止位置にあり、落下保護装置が保護位置にある、図１、７、８の自動装弾ピストルの引金機構の一部分の斜視図である。
【図１２】図１２は、落下保護装置が撃針を受承した状態の、図１１からの引金機構の上方後側からの斜視図である。
【図１３ａ】図１３ａは、撃針ガイドスリーブ及び撃針を有する図１０からの保護要素の、保護位置における前方上側からの斜視図である。
【図１３ｂ】図１３ｂは、図１３ａからの保護要素の、前方下側からの斜視図である。
【図１４】図１４は、引金及び引金バーが後方に移動され、落下保護装置が解放位置にある状態の、図１、７、８からの自動装弾ピストルの引金機構の一部の、後方上側からの斜視図である。
【図１５】図１５は、落下保護装置が解放位置で、撃針が解放された状態での、図１４の引金機構の一部の、後方上側からの斜視図である。
【図１６ａ】図１６ａは、撃針ガイドスリーブ及び撃針を有する図１０からの保護要素の、解放位置における前方上側からの斜視図である。
【図１６ｂ】図１６ｂは、図１６ａからの保護要素の、前方下側からの斜視図である。
【図１７】図１７は、引金及び引金バーが後方に移動され、落下保護装置が保護位置にあり、撃針を受承している状態の、図１４からの引金機構の一部の斜視図である。
【発明を実施するための形態】
【００５２】
図１は内部撃鉄式自動装弾ピストル１を示す。図２〜６は、発砲中及び発砲後の、本発明による落下保護装置を有しないピストル１の個々の要素を示す。本発明による落下保護装置５９の構造及び動作を、図７〜１６に基づいて説明する。
【００５３】
図１は、弾倉３が取り外された状態の自動装弾ピストル１の外面図である。自動装弾ピストル１は、グリップ２と、砲身９を取り囲むロック式スライド７とを備える。図２〜８、１１、１２、１４、１５、１７に示す引金機構は、引金５によって公知の様式で作動させることができる。外側ハンドル１５ａを用いて、ここでは図示されていない（図６参照）グリップ２内に配設された分解シャフト１５を、保護位置又は分解位置に回転させることができる。
【００５４】
ハンドル１５ａは、保護位置（撃発準備位置とも呼ばれる）において、水平に後方を向いている。本プロセス中、特にこのハンドル１５ａは、砲身９の下側の突起１２をブロックし（図７参照）、これによって砲身９の取り外しを防止する。分解位置では、突起１２が分解シャフト１５上を滑動できるため、砲身９及びロック式スライド７、並びにリコイルスプリング４１及びスピゴット４３を有するリコイルスプリング組立体３９（図７参照）を、それ自体公知のスライド受承レバー１０の解放後に、グリップ２から前方へと引くことができる。このような分解シャフトは例えば、同一出願人による独国特許第１０２０１３０１０９６９．８号に記載されており、本出願では上記特許を明らかに参照する。
【００５５】
スライド受承レバー１０は、ロック式スライド７を公知の様式でそのスライド受承位置に受承及び保持できる。更にロック式スライドの下側には半円状の陥凹部６が設けられ、これは、スライド受承位置においてのみ、及び弾倉３が既に取り外されている場合のみ、分解シャフト１５のコッキング又は分解位置への回転（図６参照）が可能となるように位置決めされる。
【００５６】
図２は、撃針１７を解放して発砲する前に、撃針１７がコッキングされた状態の、ピストル１を示す。公知のように、発砲のために以下の要素が設けられる：引金５；引金安全装置５ｅ（安全ラッチ又は引金ラッチとも呼ばれる）；引金５に連結された引金バー２７；解放爪４５（図３、４参照）；逆鈎１９；突起１７ａを有する撃針１７；ロック式スライド７。これらの構成部品の構造、並びに弾丸の発砲及び撃針ピンのコッキング中のこれらの相互作用について以下に説明する。
【００５７】
引金５は、引金シャフト５ａ周囲で枢動可能に設置され、捩りばね５ｂ（特に図３、４参照）及びばね３７（特に図３、４参照）によって、図２に示す静置位置において予備応力を印加される。引金５はその後側に突起５ｃ（特に図６、１１、１２、１４、１５参照）を備える。この突起５ｃは、グリップの引金開口を介した汚れ及び異物の進入をより困難にするためのカバーとして機能する。
【００５８】
引金バー２７はその前端部において、引金バー支持軸として作用しかつ引金５を陥凹部５ｆ（特に図１１、１２を参照）において発砲方向に対して横断方向に移動させるピン５ｄを介して、引金５と運動可能に連結され、またピン５ｄの周りで枢動可能に設置される。
【００５９】
引金バー２７はその下側のおおよそ中央において、二重湾曲（ミミズ状湾曲）ばね３７を用いて、グリップ２内の支持体に公知の様式で連結される（特に図３、４参照）。グリップ２内の引金バー支持体は、図６に概略的に図示されている。
【００６０】
このばね３７により、引金バー２７の垂直運動及び並進運動、並びに引金５の静置位置への運動が容易になる。引金バー２７はその後端部に、右側に形成された下側タブ２９を備え、またその上端部に、左側に形成された上側タブ３１（特に図４参照）を備える。タブ２９、３１の機能については後で説明する。
【００６１】
安全ラッチ５ｅは引金５を、例えば重力又は衝撃による加速時の上記引金の偶発的な解放から、公知の様式で保護する。この安全ラッチ５ｅもまた、引金内において引金バー支持軸５ｄ上に設置され、引金の作動時にはこの軸の周りで、図示されていない引金内のばねに対向して自動的に旋回し、その結果、引金はグリップと向い合ってロック解除され、引金シャフト５ａの周りで旋回できる。
【００６２】
図３、４に示す解放爪４５は、引金バー２７の後端部の左側に設けられる。この解放爪４５は、解放爪４５を発砲方向に対して横断方向に移動させる、グリップ２内に配備された解放爪支持軸４９の周りで枢動可能に設置される。グリップ２の追加の壁要素内に解放爪支持軸４９を配備することは公知であり、図示しない。解放爪４５は、逆鈎１９と係合するためにタブ形状となっている（次の段落を参照）その後方下側端部において左に屈曲し、またその後方上端部に、引金バー２７の上側タブ３１に向かって発砲方向に突出する突出部４７を備える。
【００６３】
逆鈎１９は、引金バー２７の後端部の領域において、撃針１７の下側の解放爪４５の上側突出部４７の左側に、引金バー２７に対して平行に設けられ、グリップ２内の支持軸１９ｂの周りで枢動可能に設置される。逆鈎１９の後端部では、突出部１９ｄが中央において後方へと突出する。突出部１９ｄの下側には、矩形に近い陥凹部が接続しており、これはその底部を、逆鈎１９のフック状端部１９ｅによって制限される（図２〜４参照）。
【００６４】
逆鈎１９は、引金バー２７の後端部の領域において、撃針１７の下側の解放爪４５の上側突出部４７の左側に、引金バー２７に対して平行に設けられ、グリップ２内の支持軸１９ｂの周りで枢動可能に設置される。逆鈎１９の後端部では、突出部１９ｄが中央において後方へと突出する。突出部１９ｄの下側には、矩形に近い陥凹部が接続しており、これはその底部を、逆鈎１９のフック状端部１９ｅによって制限される（図２〜４参照）。
【００６５】
解放爪４５は下側タブ状端部においてこの陥凹部に係合する（図３、４参照）。戻りばね１９ｃとして作用する、逆鈎１９の下側中央に設けられた圧縮ばね（図５〜８参照）は、逆鈎１９をグリップ２内で下向きに支持する。
【００６６】
グリップ２内でのこのような支持は、図６に概略的に示されている。逆鈎１９の前端部には、ピストル１の長手方向軸を横断して引金バー２７の方向に延在するスピゴット１９ａが設けられる。逆鈎１９の上側には、段差１９ｆが取り付けられる。
【００６７】
撃針１７は、撃針ガイド１８内において長手方向に変位可能な様式で設置され、またその撃針頭部１７ｇの前端部に撃針先端１７ｃを備える。撃針１７は撃針先端１７ｃから後方に向かって円錐状に厚くなって環状肩部１７ｄとなり、これは撃針ばね支持体として機能し、この撃針ばね支持体には直径が小さいセクション１７ｂが接続される。撃針ばね１７ｅは撃針１７を取り囲み、またその前端部において肩部１７ｄ上に支持され、その後端部において、撃針ガイド１８に設けられた、撃針１７を取り囲む撃針ガイドスリーブ１８ａ上に支持される。撃針ガイドスリーブ１８ａは撃針１７の後端部をガイドする。撃針ガイドスリーブ１８ａはその下側に長手方向スロット１８ｂを有し、これはスリーブの長さの約４／５だけ延在し、撃針の突起１７ａがこの長手方向スロット１８ｂ内にガイドされる。
【００６８】
撃針ガイド１８ａはその後端部において、終端支持部品５８（特に図２、５、７、８参照）上に支持され、この終端支持部品５８の内部外形内に、上記撃針ガイド１８はばねで加圧されて沈み込み、従って上記撃針ガイド１８は、ロック式スライドの後部において垂直に変位可能にリンク内に設置された終端支持部品５８を、他のピストルにおいて公知の様式でロックする。
【００６９】
更に、撃針１７の後端部には、長手方向スロット１８ｂ内の撃針ガイドスリーブ１８ａを移動させる、下向きに突出した突起１７ａが設けられる。撃針ガイドスリーブ１８ａ内には、撃針戻りばね１７ｆが配設される。上記撃針戻りばねは、その後端部において撃針突起１７ａ上に、及びその前端部において撃針ガイドスリーブ１８ａ上に支持され、発砲時に静止位置にある撃針１７を後方へと引き戻す。
【００７０】
初めに記載したように、逆鈎１９は撃発準備位置において、その後方上側端部が突起１７ａの運動経路に突出し、ピストル１のシリンダのコッキング及び回転時に、ロック式スライド７と共に漸進する撃針１７をその突起１７ａにおいて受承する。図２に示す撃発準備位置では、突起１７ａはその下側前端部において逆鈎１９の段差１９ｆに隣接し、上記段差１９ｆによって支持される。更に前進したロック式スライド７は、撃針ばね支持体１７ｄに対して公知の様式で張力を印加している。というのは、ロック式スライド７は上記更なる前進の間、撃針ガイドスリーブの前端部が撃針ばね１７を圧縮するように撃針ガイドスリーブ１８ａを支持するためである。引金機構はこの相互に作用可能な接続において発砲準備ができた状態となる。
【００７１】
図３、４は、逆鈎１９による撃針１７の解放の瞬間の、張力を印加された撃針１７を示す。引金５は、捩りばね５ｂ及びばね３７のばね力に対して後方へと作動される。ピン５ｄはピン５ｄ上に連結された引金バー２７を後方へと移動させ、ここで引金バーの前端部は、引金シャフトの周りの環状経路に沿って後方上側へと移動している。図２と比較して、引金バー２７の後端部は長手方向に後方下側へと変位し、引金バー２７の下側タブ２９は、切断器バー２１の陥凹部２４から後方へとガイドされ、従って引金バー２７の後端部を下向きに移動させる。このプロセスにおいて、引金バー２７の上側タブ３１はその後面において解放爪４５の突出部４７に衝突し、これによって上記爪は、その支持軸４９の周りの環状経路に沿って下側後方へと旋回する。このプロセスにおいて、解放爪４５は、その動作可能な係合により、戻りばね１９ｃのばね力に対して、逆鈎１９を支持軸４９の周りで下側後方へと旋回させる（図６〜８参照）。その結果、突起１７ａは逆鈎１９の段差１９ｆから係合解除され、発砲のために自由に前方へと移動できる。運動経路の端部において、撃針１７はその先端１７ｃにおいて、図示されていない薬室５１（図２〜５参照）内に設けられた実包の実包底部に衝突し、公知の様式で発射薬に着火する。
【００７２】
図５は、撃針が解放され薬室５１が空になったピストル１を示す。撃針ばね１７ｅはコッキング解除状態であり、撃針１７は、薬室５１からある距離の、その前方位置にある。撃針ばね１７ｅは肩部１７ｄ上に支持されているため、撃針ばね１７ｅは撃針１７を、図示されていない薬室内の実包の雷管に対して完全かつ恒常的には押圧しない。その代わり、弾丸が発砲される際、撃針１７はその慣性により、図５に示す位置を超えて進み、このプロセスにおいて、撃針ガイドスリーブ１８ａ内のその戻りばね１７ｆを圧縮する。前進後に薬室５１が空である場合、戻りばね１７ｆは、撃針頭部１７ｇが撃針ばね支持体１７ｄに当接するまで撃針１７を僅かに引き戻す。
【００７３】
引金５は図５の静置位置へと戻るように旋回される。このプロセスにおいて、ピン５ｄは、ピン５ｄに連結された引金バー２７を前方へと移動させ、ここで引金バー２７の前端部は、引金シャフト５ａの周りの環状経路上を前方下向きに移動する。引金バー２７の後端部は図２による初期位置に戻り、図５に図示されていない逆鈎１９及び解放爪４５も同様である。
【００７４】
撃針１７及びその撃針ばね１７ｅを新たにコッキングするために、逆鈎１９が突起１７ａから離れるまでロック式スライド７を引き戻さなければならない。その後ロック式スライド７は再び解放されることになる。
【００７５】
ここで、本発明による落下保護装置５９の構造及び機能について、図７〜１７の助けを借りて説明する。
【００７６】
図７〜１７によると、落下保護装置５９は、以下の構成部品を備える：引金５；引金５に連結された引金バー２７；保護要素６１；保護ばね６９；逆鈎１９；突起１７ａを有する撃針１７；ロック式スライド７。これらの構成部品の相互作用について以下に説明する。
【００７７】
図７、８、１０は、落下保護装置５９を有する自動装弾ピストル１の様々な部分斜視図である。図９は、保護要素６１の拡大図である。まず保護要素６１の構成について説明する。
【００７８】
保護要素６１は、ピン状の設置要素又はヒンジピン６３を含み、これはその第１の端部又は上端部６５において円錐形である。この端部６５は組み立て状態において、例えば孔（図示せず）である陥凹部内に枢動可能に挿入される。
【００７９】
第２のレバーアーム６６ｂはまた、垂直に完全に貫通した概ね楕円形の開口又は陥凹部７１を含み、これは保護捩りばね６９のアームのばね台座として機能する。保護捩りばね６９は、２アーム式レバー６７の上側にヒンジピン６３を収容し、その第２の脚部の端部においてロック式スライド７の内側に保持される。保護捩りばね６９は、保護位置の保護端部６７ａに事前負荷を印加するよう適合され、この保護位置において保護端部６７ａは、撃針１７の移動経路に侵入して、解放された状態の撃針１７の突起１７ａにおいて撃針１７を妨害する。
【００８０】
概ね第１のレバーアーム６６ａの前方１／３である、保護端部６７ａの下側には、段差６８が設けられ、これによって保護端部６７ａの高さが撃針肩部の陥凹部８３の高さに対応する。更に、スロット７２（図１１ｆｆ参照）が２アーム式レバー６７の上側に設けられ、これにより、ロック式スライド７と２アーム式レバー６７の上側との間に位置するばね６９の脚部のための空間が生成される。
【００８１】
設置ピン６３は、撃針ガイドスリーブ１８ａに対面する側に、撃針ガイドスリーブ１８ａ上に設置するための、例えば屋根状に形成された陥凹部７５を含み、これは外側ほど強靭となるように形成され、これにより、保護要素６１を保護位置（図７、８、１０〜１３ｂ参照）と解放位置（図１４〜１６ｂ）との間で枢動させるための、撃針ガイドスリーブ１８ａ上での保護要素６１の回転又は枢動運動が可能となる。撃針ガイドスリーブ１８ａから離れた側では、設置ピン６３は、ヒンジピンとロック式スライド７内の軸受との間のいずれの汚れのための空間を形成するための、外周溝８１（図９〜１７参照）を含む。
【００８２】
図７、８は、保護要素６１の保護端部６７ａによって妨害される、解放された撃針１７である。この位置では、撃針は、薬室内に存在し得る実包の実包底部に接触できないため、弾丸の発砲を防止する。保護ばね６９はこの保護位置において保護端部６７ａに事前負荷を印加する。更に、引金バー２７に形成された制御用外形７７が制御ボルト７３を押し戻す。引金５が動作していない限り、保護端部６７ａは、撃針１７の突起１７ａの移動経路から外れて旋回できない。制御用外形７７は、引金バーから左上へとタブ状に折り畳まれて制御バーを形成し、これは制御ボルト７３の長さに概ね対応する高さを有する。引金５に対面する前端部では、制御用外形７７はロック式スライド７の右側に向かって半円状となっている（図示せず）。
【００８３】
引金バー２７の、制御用外形７７に隣接するセクションは、引金５の方向に、略垂直に延在する、概ねスロット状の陥凹部７８を呈する。これは製造技術によって得られる。
【００８４】
第２の略垂直に直立した制御用外形７９は、引金５の方向の陥凹部７８を引金バー２７に接合する。これは、陥凹部に対面する端部においておおよそくさび形に形成され、制御用外形７９の上部の後方部分は、陥凹部７８の方向に下向きに傾斜して延在する。制御用外形７９の、引金５の方向に略水平に延在する上側は、上記傾斜に接合する。
【００８５】
図１０は、撃針ガイドスリーブ１８ａ上での保護要素６１の設置を示し、陥凹部７５は部分的に撃針ガイドスリーブ１８ａに接触している。
【００８６】
図１１では、保護要素６１は保護位置にあり、撃針１７はコッキングされ、その下側突起１７ａにおいて、段差１９ｆを介して逆鈎１９によって保持及び受承される。回転可能な保護要素６１は、その保護端部６７ａにおいて撃針１７の突起１７ａの移動経路内に突出する。保護要素６１の対向する端部６７ｂは、引金バー２７の制御用外形７７によって正方向に押し戻され、これによって保護要素６１が保護位置を外れて回転するのが防止される。更に、保護ばね６９は保護端部６７ａを保護位置においてコッキングする。引金５は上述のように、引金バー支持軸５ｄを介して引金バー２７に連結される。更に引金は、図７、８に示す引金安全ラッチ５ｅを介して固定される。引金ラッチ５ｅの作動時にのみ、引金５は後方に移動して弾丸を発砲できる。
【００８７】
図１２は、落下保護装置及び保護位置の保護要素６１を示し、この保護位置において保護要素６１は、落下又は衝撃によって薬室に向かってトリガ又は解放される撃針１７を停止させる。作動は例えば、逆鈎１９及び／又は解放爪４５の下向きの移動によって行うことができ、これによって逆鈎１９は、その段差１９ｆによって、撃針の突起１７ａと係合解除するように下向きに移動する。そして撃針１７は薬室に向かって前方へと滑り、その突起１７ａが逆鈎１９の段差１９ｆを超え、最終的に保護要素６１の保護端部６ａに受承される。これによって撃針１７は、段差１９ｆと保護位置にある保護端部６７ａとの間の距離に対応する所定の距離を包含する。従って撃針１７は、撃針先端１７ｃが薬室内に存在する場合がある実包の実包底部に衝突する直前に受承される。
【００８８】
制御用外形７７はその保護ストリップによって、下向きに突出した制御ボルト７３を正方向に押し戻すため、保護要素６１は、保護要素が受承している撃針をその解放位置において回転させず、従って撃針１７を不注意に解放しない。受承されている撃針１７は、実包の着火剤に接触又は到達できないように、その撃針先端１７ｃが薬室内にある実包から十分離間している。更に、引金５及び引金バー２７は上述の引金安全ラッチ５ｅによって公知の様式で固定され、引金５及び引金バー２７の不注意による移動は発生できなくなる。更に撃針１７及びその撃針ばね１７ｅは、撃針ばね支持体１７ｄが撃針ガイド１８の内側に接触して（図５参照）、撃針戻りばね１７ｆが撃針１７を戻すように作用し始めるよう、受承位置において十分に弛緩している。
【００８９】
撃針１７が受承された状態で、射手引金安全ラッチ５ｅを介して引金５を作動させる（図２参照）場合でさえ、撃針ばね１７ｅは撃針１７を、撃針先端１７が実包底部及びそれに伴って着火剤に接触できる程には前方へと移動させることができず、これによって偶発的な発砲が防止される。実際には、引金を作動させると保護端部６７は撃針１７上の突起１７ａを解放する（図１４、１５に関する以下の説明を参照）が、撃針ばね１７ｅの強度は、撃針１７を十分に前方に移動させるには不十分である。ここで射手が引金５を再び作動させると、保護端部６７ａは撃針突起１７ａを再び押し戻し、自動装弾ピストル１は再び保護される。撃針１７を再びコッキングするには、射手は、初めに記載したようにロック式スライド７を引き戻し、これを前方へと摺動させる必要がある。
【００９０】
図１３ａ、１３ｂはそれぞれ、受承されている撃針１を、前方上側から又は下側からの部分斜視図で示す。設置ピン６３は、保護端部６７ａに対面した領域において、その陥凹部７５を撃針ガイドスリーブ１８ａに接触させ、また保護端部６７ａと反対側において、その陥凹部７５を撃針ガイドスリーブ１８ａから僅かに離間させる。
【００９１】
図１４は、引金５の作動による落下保護装置のロック解除及び撃針１７の解放を示す。図１４では、撃針１７は依然としてコッキングされ、逆鈎１９によってその状態に保持されている。図１５では、解放爪４５及び逆鈎１９の起動、並びにこれらと関連する撃針突起１７ａの解放によって、撃針１７がトリガ及び解放される。引金５を後方に押圧すると、初めに説明したように、引金バー２７は解放爪４５の突出部４７において停止する。引金バー２７が後方へと変位すると、保護要素６１の制御ボルト７３は、ストリップ状の制御用外形７７に沿って、その周縁を超え、更に陥凹部７８を超えて、引金バー２７の第２の制御用外形７９がその内側において衝突するまで摺動する。制御用外形７９は、保護端部６７ａが保護戻りばね６９の抵抗力に対向して撃針突起１７ａの経路から外れて枢動するように、制御ボルト７３に衝突する。これにより陥凹部７５は撃針ガイドスリーブ１８ａ上で回転する。これにより、解放爪４５及び引金バー２７による逆鈎１９の解放前に保護要素６１が解放位置となることが保証される。
【００９２】
解放位置では、撃針突起１７ａのための経路は空いており、トリガ及び解放された撃針１７はその撃針先端１７ｃにおいて、薬室内に存在するいずれの実包の着火剤に接触できる。
【００９３】
図１５は、点火の瞬間の、最も前方の位置にある解放された撃針１７を示す。引金バー２７は解放爪４５の突出部４７に衝突しており、これによって逆鈎１９が撃針１７の突起１７ａによる妨害を逃れている。ロック式スライド７の復帰はまだ開始されていない。撃針１７は、保護端部６７ａ上の、図１２に示したものよりも長い距離を包含する。
【００９４】
図１６ａ、１６ｂもまた、最も前方の位置にある解放された撃針１７と、解放位置にある保護要素６１とを、前方上側及び下側からの斜視図で示す。図１６ｂ（図１３ｂも参照）は、保護端部６７に対して相補的に形成された傾斜面を有する、撃針１７の突起１７ａの陥凹部８３を示し、上記傾斜面は、撃針突起１７ａが保護要素６１によって受承されることを保証する。更に、保護端部５７ａが撃針ガイドスリーブ１８ａにおいて、屋根状に設計された上縁部に亘って回転又は枢動することによって、設置ピン７３がその陥凹部７５によって撃針ガイドスリーブ１８ａにおいてどのように回転して、陥凹部７５の撃針先端１７ｃに対面する領域において撃針ガイドスリーブ１８ａに接触するかが示されている。
【００９５】
最後に図１７は再び、発砲後の解放された撃針１７と、逆鈎１９及び段差１９ｆによって受承された撃針突起１７ａとを示す。撃針ばねはコッキングされ、引金５は依然として後方の作動位置にある。ここでは図示されていないロック式スライド７は、弾丸の発砲後に後方へと移動され、再び前方へと移動される。発砲の代わりに、射手はロック式スライド７を主導で引き戻し、これを対応して作動された引金によって再び前方へと移動させることができる。
【００９６】
ロック式スライドが戻ると、ロック式スライド７の非陥凹領域８ｂ（図６参照）が切断器バー２１にその隆起部３３において下向きに衝突し、切断器バー２１上に載置された下側タブ２９に沿って移動する。従って、引金バー２７の上側タブ３１は解放爪４５の溝４５ａ内を下向きに摺動し、その際、解放爪４５及び逆鈎１９は戻りばね１９ｃによってその初期受承位置へと戻され、ロック式スライドの前進運動中に再び撃針１７を受承できる。
【００９７】
ロック式スライドと引金機構とのこのような相互作用については、同一出願人による同一出願日の並行特許出願「Ｄｅｖｉｃｅ  ｆｏｒ  ｐｒｅｖｅｎｔｉｎｇ  ｃｏｃｋｉｎｇ  ｏｆ  ｔｈｅ  ｆｉｒｉｎｇ  ｐｉｎ」において詳細に説明されており、この特許出願は本出願において参照される。
【００９８】
保護要素６１は、保護位置にある保護ばね６９によって枢動する。切断器バー２１、及びそれに伴う引金バー２７の下向きの移動中、引金バー  ２７は下向きに摺動し、保護要素６１の制御ボルト７３と干渉しなくなる。
【００９９】
ロック式スライド７の再前進及び引金の再解放時、制御用外形７９を有する引金バー２７は、前進中の引金バー２７がその前端位置となるまで、保護要素６１の制御ボルト７３の下側と接触し、ばね３７によって上向きに押され、制御ボルト７３の通過後に、その第１の制御用外形７７によって制御ボルト７３を戻す。
【０１００】
ここで射手は引金５を動かし、引金５は、引金捩りばね５ｂの力によって再び前方へと移動し、これにより引金バー２７を、その前方位置にあるばね３７と相互作用させる。これは、図７の解放された引金の基本位置に対応する。これにより、引金バー２７の下側タブ２９は、切断器バー２１の陥凹部２４内へと戻るように摺動し、引金バーの上側タブは解放爪４５の突出部４７の前に戻って静止する。これにより制御ボルト７３は、第１の制御用外形７７の前の陥凹部７８を超えて、制御用外形７９の前方の傾斜上を摺動し、これにより制御用外形７７の丸みを帯びたバー領域は再び戻される。ここで、コッキングされた撃針１７を、引金バー２７の上側タブ３１及び解放爪４５の突出部４７を介した、引金安全タブ５ｅ及び引金５の作動によって解放できる。
【図１】
2017501369.tif 000003
【図２】
2017501369.tif 000004
【図３】
2017501369.tif 000005
【図４】
2017501369.tif 000006
【図５】
2017501369.tif 000007
【図６】
2017501369.tif 000008
【図７】
2017501369.tif 000009
【図８】
2017501369.tif 000010
【図９】
2017501369.tif 000011
【図１０】
2017501369.tif 000012
【図１１】
2017501369.tif 000013
【図１２】
2017501369.tif 000014
【図１３ａ】
2017501369.tif 000015
【図１３ｂ】
2017501369.tif 000016
【図１４】
2017501369.tif 000017
【図１５】
2017501369.tif 000018
【図１６ａ】
2017501369.tif 000019
【図１６ｂ】
2017501369.tif 000020
【図１７】
2017501369.tif 000021
【国際調査報告】
2017501369.tif 000022
2017501369.tif 000023
2017501369.tif 000024
2017501369.tif 000025